(57)【要約】  本発明は、容器の口から離脱が防止される表示リングと；容器の口の外周面に対してねじ締結される栓本体と；前記栓本体と表示リングとの間の切開部の周辺の一部区間の前記栓本体と表示リングを互いに連結するヒンジ部と；前記栓本体と表示リングを前記切開部の周辺に沿って間隔を隔てて連結し、栓本体の開放時に切断されるようにしたブリッジと；を備えてなる開放状態保持機能を有する容器栓において、前記ヒンジ部は両側切開部と近接する幅方向の両側辺縁部位が外側から内側に深さをなし、前記栓本体と表示リング及びヒンジ部に一体に連結された折れ誘導溝を形成し、幅方向中心の下側部位は下側方向に延長突出した形状の突起部と；を形成したものからなり、前記表示リングは上下高さ方向の中間部位の中で設定した区間にスリットを形成したものからなり、前記突起部に対応する部位に突起部と間隔を隔てて近接し、下側に深さを有する凹部を形成したものからなる。
2020529950.tif 000002
【特許請求の範囲】
【請求項１】
容器の口から離脱が防止される表示リングと；容器の口の外周面に対してねじ締結される栓本体と；前記栓本体と表示リングとの間の切開部の周辺の一部区間の前記栓本体と表示リングを互いに連結するヒンジ部と；前記栓本体と表示リングを前記切開部の周辺に沿って間隔を隔てて連結し、栓本体の開放時に切断されるようにしたブリッジと；を備えてなる開放状態保持機能を有する容器栓において、
前記ヒンジ部は両側切開部と近接する幅方向両側辺縁部位が外側から内側に深さをなし、前記栓本体と表示リング及びヒンジ部に一体に連結された折れ誘導溝を形成し、幅方向中心の下側部位は下側方向に延長突出した形状の突起部とを形成したものからなり、
前記表示リングは上下高さ方向の中間部位の中で設定した区間にスリットを形成したものからなり、前記突起部に対応する部位に突起部と間隔を隔てて近接し、下側に深さを有する凹部を形成したものからなることを特徴とする開放状態保持機能を有する容器栓。
【請求項２】
前記折れ誘導溝は外側から内側に深さをなし、前記ヒンジ部の幅方向中心から辺縁方向に漸次に厚さが減少する形状の傾斜面をなし、前記折れ誘導溝の中で相対的に薄い前記両側切開部の位置で高さ方向の前記栓本体に接する部位が切開できるようにしたことを特徴とする請求項１に記載の開放状態保持機能を有する容器栓。
【請求項３】
前記ヒンジ部の両側の前記スリットの上部の前記両側表示リングには、幅と長さ及び外側から内側方向に深さを有するねじり溝を形成したものからなり、前記各ねじり溝の長さ方向の中で上側方向の一端は前記ヒンジ部に近接し、下側方向の他端は前記スリットの先端方向に近接するように既設定した傾きを有するようにしたものを前記表示リングに沿って一つ以上形成したことを特徴とする請求項１に記載の開放状態保持機能を有する容器栓。
【発明の詳細な説明】
【技術分野】
【０００１】
本発明は、開放状態保持機能を有する容器栓に関し、具体的に、容器の口に固定された状態を保持する表示リングと連結された状態にあり、容器の開口を開閉する栓本体が容器の開口を開放した状態で容器の開口から最大限に広がった状態になるようにする開放状態保持機能を有する容器栓に関する。
【背景技術】
【０００２】
一般に、ミネラルウォーターをはじめとする食飲料やオイル、塗料、化学薬品などの液状物質を収容する容器は、液状物質の流入出ができるようした口を形成している。
【０００３】
また、上述した口には、液状物質の流入出を制限するために、口の開口を開閉する容器栓が設けられる。
【０００４】
容器Ｂの口Ｎと容器栓１０の一般的な結合構造は、図１〜図３に示すように、容器Ｂの中で相対的に突出した形状を有する口Ｎの外周面Ｅ／Ｓに雄ねじＭ／Ｓを形成し、これに対応して覆う容器栓１０の内周面Ｉ／Ｓに雌ねじＦ／Ｓを形成して、これらの相互間のねじ結合または結合解除の関係からなる。
【０００５】
最近開発された容器栓１０は、大韓民国登録特許第１０−１３２５８５０号公報（包装容器栓：以下、「先行技術１」という）及び大韓民国登録特許第１０−１０３８８９４号公報（包装容器栓：以下、「先行技術２」という）から確認されるように、容器Ｂから分離した場合紛失の虞と分離した状態で周辺により汚染される可能性を解消するために、容器Ｂの口Ｎを開放した後にも容器Ｂの口Ｎに容器栓１０が連結された状態になるようにしている。
【０００６】
前記先行技術１、２による容器栓１０は、図１及び図２に示すように、天井部１２と天井部１２から下側に円筒状を成し、内壁に雌ねじＦ／Ｓを形成した側壁部１４を含む栓本体１６をなし、栓本体１６の下部に放射状に配置された複数のブリッジ２０と一側のヒンジ部２２を通じて一体に連結された表示リング１８を備えた構成からなる。
【０００７】
また、ヒンジ部２２の下部の表示リング１８の部位の中で上下幅方向の中間部位には、横方向の区間に切開した形状のスリット２４を形成し、スリット２４の下の内壁周辺には係止部３０を突出形成している。
【０００８】
そこで、栓本体１６を回転させて容器Ｂの口Ｎを開封する際に、栓本体１６は上昇するが、容器Ｂに設けた係止顎Ｃと支持顎Ｓ／Ｃとの間に位置した表示リング１８は、係止部３０が係止顎Ｃに係止されて上昇できないため、表示リング１８と栓本体１６との間の切開部２５を連結したブリッジ２０が破断されてしまう。
【０００９】
そこで、前述したブリッジ２０の破断は、容器Ｂに対して容器栓１０が開放されたか否かを確認することができるようにする。
【００１０】
ここで、前述したヒンジ部２２は、表示リング１８の中でスリット２４の位置の上部に連結されており、スリット２４は容器Ｂの口Ｎから栓本体１６が昇降する時に広がることにより、ヒンジ部２２を介して表示リング１８と栓本体１６の連結状態を保持する。
【００１１】
また、先行技術１、２はヒンジ部２２の両側に栓本体１６及び表示リング１８の部位に至る切開した形状の切開部２６を形成しており、これらの切開部２６は、ヒンジ部２２が内・外側に折れることができるようにスペースを確認するためのものであり、栓本体１６と表示リング１８の境界位置で上側の栓本体１６の方向に長さを有する。
【００１２】
また、切開部２６の間に位置するヒンジ部２２は、栓本体１６と表示リング１８との間の上下方向の中間部位に沿って内側から外側方向に厚さの薄い形状をなし、その位置で栓本体１６と表示リング１８の水平な接線方向を基準として曲げられる段差部２８を形成しており、それにより、段差部２８の水平方向の両側は栓本体１６と表示リング１８の表面よりも外側にさらに突出した形状をなす。
【００１３】
前述したように、段差部２８の横方向の両側部位が栓本体１６と表示リング１８の表面よりも外側にさらに突出した状態は、使用者が手で取った時に違和感を感じて不便であるだけでなく、容器栓１０が強い力で締結されていたり容器Ｂと容器栓１０との間の内容物が固まった状態で無理な力で開放しようとすると、使用者の手を傷つける危険がある。
【００１４】
何よりも、先行技術１、２のヒンジ部２２は、段差部２８を設けて容器Ｂから栓本体１６を反らすことができるようにしているが、栓本体１６の反った角度は、結局ヒンジ部２２の弾性的復元力の影響を受けて、自然状態で容器Ｂの開口の一部を塞ぐ位置になるので、使用者が容器Ｂの口Ｎに口をつけて飲用する場合邪魔になる位置になり、人為的に反らした状態になるようにする必要があるという不便があった。
【００１５】
このような不便を解消するための方案として、大韓民国登録特許第１０−０９８１２４０号公報（以下、「先行技術３」という）と、図３に示すように、ヒンジ部２２´の間に支柱３２を備えて容器の口の外壁に対して支柱３２の端部が支持されるようにすることにより、栓本体１６の開放状態を堅固にした技術が開示されている。
【００１６】
ここで、前述した支柱３２の端部の位置は、スリット２４の位置の上側に位置している。
【００１７】
しかしながら、先行技術３によれば、図３及び４で確認されるように、栓本体１６が容器Ｂの開口を開放した状態において、スリット２４の上側の表示リング１８の部位は係止顎Ｃによって固定される表示リング１８の部位からスリット２４の両末端位置Ｐ１と、表示リング１８に形成した切開部２６の部位Ｐ２と、栓本体１６と支柱が連結される部位Ｐ３を基準としてねじられ、その長さは、前述した図３の「Ｐ１〜Ｐ３」区間を連結した長さｄ１〜ｄ３をなす。
【００１８】
つまり、前述したねじり区間の長さｄ１〜ｄ３は、支柱３２の突出長さｄ３を含んでなり、結局はこのようにねじり区間ｄ１〜ｄ３は、容器Ｂの口Ｎが外壁に対してねじられた状態で空き空間Ｄ以上の空間を形成して支柱３２が支持されにくい状態になって、結局、栓本体１６はねじりに対する復元力によって容器Ｂの口Ｎの開口を塞ぐ位置に置かれる。
【００１９】
これを補完するためには、栓本体１６の上側につながった切開部２８の上側部位の位置は、栓本体１６の内壁の雌ねじＦ／Ｓと干渉しない最大上側位置まで形成することと、その位置で支柱３２の長さを十分長く形成しなければならない。
【００２０】
しかしながら、支柱３２の長さ延長は、結局支柱３２が容器ｂの口Ｎの内壁に密着されるように力を受けず、かけられる程度で、容器Ｂの開口から栓本体  １６が広がる角度は９０°未満にとどまり、これは使用者が手で容器Ｂの開口から栓本体１６を干渉のない離れた位置になるように措置を取らなければならない手間を引き起こす。
【００２１】
また、このような問題を解決するために、先行技術３には、支柱３２の部位に容器Ｂの口Ｎに形成した係止顎Ｃまたは雄ねじＭ／Ｓに対応してかけられるようにした突起部Ｔを形成しているが、これらの突出部Ｔは、容器Ｂの口Ｎの開口を閉鎖した状態で、栓本体１６の外側表面から突出した状態になることにより、使用者が容器Ｂの開口を開放しようとする時に邪魔になる不便があった。
【００２２】
また、栓本体１６を開放した状態で、スリット２４の上側の表示リング１８とヒンジ部２２及びキャップ本体１６の間の連結部位Ｐ１〜Ｐ３は強制的にねじられた状態になることにより、これらの連結部位Ｐ１〜Ｐ３の中で厚さを薄く形成した部位はねじられた状態から復元しようとする力と支柱の支持力の間の物理的力を受けて、容易に切れる問題とそれによる栓本体１６の紛失の虞を有する。
【発明の概要】
【発明が解決しようとする課題】
【００２３】
本発明は前述した従来技術の問題点を解決するためのものであり、本発明の目的は、容器栓の持続的な使用にも栓本体と表示リングとの間の連結状態を損傷ないし破損を防止して安定的に保持するようにし、飲用などの容器を使用する際に、栓本体が容器口の開口から完全に離れた位置にあるようにする開放状態保持機能を有する容器栓を提供することにある。
【課題を解決するための手段】
【００２４】
前記目的を達するための本発明の一実施例による開放状態保持機能を有する容器栓の特徴的な構成は、容器の口から離脱が防止される表示リングと；容器口の外周面に対してねじ締結される栓本体と；前記栓本体と表示リングとの間の切開部の周辺の一部区間の前記栓本体と表示リングを互いに連結するヒンジ部と；前記栓本体と表示リングを前記切開部の周辺に沿って間隔を隔てて連結し、栓本体の開放時に切断されるようにしたブリッジと；を備えて構成された開放状態保持機能を有する容器栓において、前記ヒンジ部は、両側切開部と近接する幅方向両側辺縁部位が外側から内側に深さをなし、前記栓本体と表示リング及びヒンジ部に一体に連結された折れ誘導溝を形成し、幅方向中心の下側部位は、下側方向に延長突出した形状の突起部を形成したものからなり、前記表示リングは上下高さ方向の中間部位の中で設定した区間にスリットを形成したものからなり、前記突起部に対応する部位に突起部と間隔を隔てて近接し、下側に深さを有する凹部を形成したものからなる。
【００２５】
また、前記折れ誘導溝は外側から内側に深さをなし、前記ヒンジ部の幅方向中心から辺縁方向に漸次に厚さが減少する形状の傾斜面をなし、前記折れ誘導溝の中で相対的に薄い前記両側切開部の位置で高さ方向の前記栓本体に接する部位が切開できるようにすることが好ましい。
【００２６】
また、前記ヒンジ部の両側の前記スリットの上部の前記両側表示リングには、幅と長さ及び外側から内側方向に深さを有するねじり溝を形成したものからなり、前記各ねじり溝の長さ方向の中で上側方向の一端は前記ヒンジ部に近接し、下側方向の他端は、前記スリットの先端方向に近接するように既設定された傾きを有するようにしたことを前記表示リングに沿って一つ以上形成するようにすることが好ましい。
【発明の効果】
【００２７】
前述した本発明によれば、折れ誘導溝が接する栓本体とヒンジ部及びスリット上部の表示リング部位と一体に連結され、突起部がスリットの水平位置よりも下に位置することにより、栓本体の開放時にスリットの両末端からヒンジ部につながってねじられた表示リングのねじり復元力と、これを含む張力に対応して突起部が容器の口に強い力で支持されることによって容器口に対する栓本体の反った角度が従来技術に比べてより拡大され、容器口の開口を介した内容物の流出時に干渉位置から安定的に離れて、使用が便利であるという効果を奏する。
【００２８】
また、前述した折れ誘導溝の傾斜面によって相対的に薄い部位の一部が破れることがあり、破られた部位が外側に突出しないように内側に深さを成していて、使用者の手が届かないようにするだけでなく、外側に突出しないので美観を損なわないという利点がある。
【図面の簡単な説明】
【００２９】
【図１】従来技術による容器栓の技術構成とその構成による作用関係を説明するための斜視図である。
【図２】図１で表示リングと栓本体との間が広がった状態を示す使用状態斜視図である。
【図３】他の従来技術として支柱の設置構成とそれによる作用関係を説明するために示した図である。
【図４】他の従来技術として支柱の設置構成とそれによる作用関係を説明するために示した図である。
【図５】本発明の一実施例による開放状態保持機能を有する容器栓の構成及びそれによる作用関係を説明するために概略的に示した斜視図である。
【図６】図５の凹溝と突起部の配置関係を説明するための正面図である。
【図７】図５の容器栓の構造による使用状態を概略的に示す断面図である。
【発明を実施するための形態】
【００３０】
本発明は最善の形態として、容器の口から離脱が防止される表示リングと；容器の口の外周面に対してねじ締結される栓本体と；前記栓本体と表示リングとの間の切開部の周辺の一部区間の前記栓本体と表示リングを互いに連結するヒンジ部と；前記栓本体と表示リングを前記切開部の周辺に沿って間隔を隔てて連結し、栓本体の開放時に切断されるようにしたブリッジと；を備えてなる開放状態保持機能を有する容器栓において、
前記ヒンジ部の両側切開部と近接する幅方向両側辺縁部位が外側から内側に深さをなし、前記栓本体と表示リング及びヒンジ部に一体に連結された折れ誘導溝を形成し、幅方向中心の下側部位は下側方向に延長突出した形状の突起部とを形成したものからなり、
前記表示リングは上下高さ方向の中間部位の中で設定した区間にスリットを形成したものからなり、前記突起部に対応する部位に突起部と間隔を隔てて近接し、下側に深さを有する凹部を形成したものからなることを特徴とする開放状態保持機能を有する容器栓を提示する。
発明を実施するための形態
【００３１】
本発明の明細書及び特許請求範囲で用いられる用語や単語は、通常または辞典的意味に限定して解釈されるのではなく、「発明者は自身の発明を最も最善の方法で説明するために用語の概念を適切に定義することができる」という原則に立脚して、本発明の技術的思想に符合する意味と概念に解釈すべきである。
【００３２】
また、本発明の明細書に記載された実施例と図面に示した構成は、本発明の好適な実施例に過ぎず、本発明の技術的思想を全部代弁するのではないので、本発明の出願時点においてこれらを代替することができる多様な均等物と変形例は本発明の請求範囲に属されるものと理解すべきである。
【００３３】
そして、本発明を説明するにおいて、容器が立てられた状態、即ち、容器の口が上側に位置するようにした状態を基準として、内側の表現は、その高さで容器内部の中心方向またはその方向にある部位を指すものとし、外側は内側の反対方向またはその方向にある部位を指すものとして説明することにする。
【００３４】
以下、添付図面を参照して、本発明の好適な実施例について詳しく説明する。
【００３５】
本発明による開放状態保持機能を有する容器栓４０は、図５〜図７で確認されるように、従来技術と同様に、容器Ｂの口Ｎに形成した係止顎Ｃに支持されて離脱が防止される表示リング４４と、容器Ｂの口Ｎの外周面Ｅ／Ｓに対してねじ締結構造をなし、下側部位が表示リング４４の上側に対して間隔を隔てて切開部５２を形成するようにした栓本体４２と、栓本体４２と表示リング４４との間の切開部５２の周辺の中の既設定した一部区間で栓本体４２と表示リング４４を互いに連結するヒンジ部５６及び切開部５２の周辺に沿って栓本体４２と表示リング４４との間の間隔を支持し、栓本体４２の開放による切開部５２の間の間隔が広がることによって切断が行われるようにしたブリッジ２０とを備える。
【００３６】
前述した構成において、本発明によるヒンジ部５６は、両側切開部５２の末端と近接する幅方向の両側辺縁部位が外側から内側に深さをなし、栓本体４２と表示リング４４及びヒンジ部５６まで一体に連結する折れ誘導溝４８を形成している。
【００３７】
このような折れ誘導溝４８は、外側から内側に深さをなす方向がヒンジ部５６の幅方向（栓本体４２の周方向）中心から辺縁方向に漸次にその厚さが減少する形状の傾斜面をなし、切開部５２と接する位置の上側の栓本体４２の側壁で薄く形成したものである。
【００３８】
このように折れ誘導溝４８の中で薄く形成した部位は、栓本体４２の開放によって切開部５２が広がる過程で、スリット４６の両側末端位置とヒンジ部５６に接する切開部５２の両側末端との間の区間のスリット４６の上部に位置する表示リング４４ａの部位が張力を受けるのに対して薄い部位から漸次に切開することができるようにした切開線Ｏ／Ｌをなす。
【００３９】
また、ヒンジ部５６の幅の中心方向に折れ誘導溝４８の厚さが漸次に増加する部位は、前述した区間で表示リング４４ａに作用する張力に対応して漸次に切開が行われないように、つまり、表示リング４４ａに作用する張力を切開なしに耐えられるようにするためのものである。
【００４０】
また、前述したヒンジ部５６は、幅方向中心の下側部位、つまり一体に連結されたスリット４６の上側の表示リング４４ａの下部には、下側方向に延長突出した形状の突起部５０を形成したものからなる。
【００４１】
また、前述した突起部５０に対応するスリット４６の下側の表示リング４４ｂの上部には、突起部５０に対して間隔を隔てて対応する形状をなすように下側に深さを有する凹部４９を形成したものからなる。
【００４２】
従って、前述したスリット４６は、表示リング４４の上下高さ方向の中間部位に沿って形成された後、前述した突起部５０に対応する部位で下側に深さを有する凹部４９に延長連結した形状のものからなる。
【００４３】
それに加えて、前述した区間、つまり、スリット４６の両側末端から切開部５２の両側末端部につながるスリット４６の上側の表示リング４４ａ区間には、幅と長さ及び外側から内側方向に深さを有するねじり溝５４を一つ以上形成することが好ましい。
【００４４】
また、ねじり溝５４は、長さ方向が上下方向に対して既設定された角度で傾いた形状をなし、具体的には、長さ方向の中心を基準として上側方向の一端はヒンジ部５６に近接する方向にあり、下側方向の他端はスリット４６の末端に近接する方向にあるようにすることが好ましい。
【００４５】
ここで、栓本体４２を開放した状態で、スリット４６の上側の表示リング４４の部位がねじられた状態で原理の形状に復元しようとする力を提供し、これらの力は栓本体４２が容器Ｂの口Ｎの開口を覆うように回転力を提供し、前述したねじり溝５４はねじられた状態の変形を誘導してねじりによる復元力を緩和させるためのものである。
【００４６】
つまり、ねじり溝５４は前記区間が容易にねじられるようにするとともに、栓本体４２が開放された状態で、スリット４６の両側末端から切開部５２の両側末端につながるスリット４６の上側の表示リング４４の区間に対して張力のみ作用するようにするためのものである。
【図１】
2020529950.tif 000003
【図２】
2020529950.tif 000004
【図３】
2020529950.tif 000005
【図４】
2020529950.tif 000006
【図５】
2020529950.tif 000007
【図６】
2020529950.tif 000008
【図７】
2020529950.tif 000009
【国際調査報告】
2020529950.tif 000010
2020529950.tif 000011
2020529950.tif 000012
2020529950.tif 000013